(57)【要約】      （修正有）【課題】複数の引出しを一斉にロックできるとともに、幼児が簡単に開けることができず、地震等の際、引出しが一斉に飛び出すことなくロックできる引出しロック機構付キャビネットを提供する。【解決手段】キャビネットに設けられた複数の引出し５を一斉にロックするロック機構Ｒを備えたキャビネットであって、上記キャビネットの背板の内側には複数の係合部１を突設した可動板２が上下移動自在に設けられ、該可動板２が上に位置したとき引出し後面板５１と上記係合部１との係合が解除され、該可動板２が下に位置したとき引出し後面板５１と上記係合部１とが一斉に係合され、ロックされる引出しロック機構付キャビネットＡ。【選択図】図２
2008023078.tif 000002
【特許請求の範囲】
【請求項１】
キャビネットに設けられた複数の引出しを一斉にロックするロック機構を備えたキャビネットであって、上記キャビネットの背板の内側には複数の係合部を突設した可動板が上下移動自在に設けられ、該可動板が上に位置したとき引出し後面板と上記係合部との係合が解除され、該可動板が下に位置したとき引出し後面板と上記係合部とが一斉に係合され、ロックされる引出しロック機構付キャビネット。
【請求項２】
上記係合部と引出し後面板との係合、解除がキャビネットのカウンターに設けられた操作ボタンにより行われる請求項１に記載の引出しロック機構付キャビネット。
【請求項３】
上記可動板の上下移動がカムにより行われる請求項１に記載の引出しロック機構付キャビネット。
【請求項４】
上記キャビネットがキッチンキャビネットである請求項１に記載の引出しロック機構付キャビネット。
【発明の詳細な説明】
【技術分野】
【０００１】
本発明は、引出しを備えたキャビネットの構造に関する。さらに詳しくは、複数の引出しを備え、それらの引出しのロックと解除とを一斉に行うことのできるキャビネットの構造に関する。
【背景技術】
【０００２】
従来、引出しを幼児がいたずら等の目的で簡単に開けることができないように、ロックする装置が提案されている。しかしながら、このようなロック装置を取り付けた場合、幾分の操作性の低下を伴うことは避けられず、このことは幼児のいない家庭の使用者に対して煩雑感だけを与えることになりかねないので、必ずしも好ましいことではない。下記特許文献１には、通常時の操作性を低下させることなく、幼児には開けることのできないように構成されたキャビネット等のロック装置が開示されている。
【特許文献１】特開２００４−３１６３２４号公報（第２２〜２４頁、第１図、第２図、第３図、第４図）
【発明の開示】
【発明が解決しようとする課題】
【０００３】
しかしながら、上記特許文献１に記載のロック装置は構造が複雑であり、また、キャビネットごとにロック装置を取り付ける必要があるため、一斉にロックをすることができず、解除ができないという問題がある。本発明は、このような問題を解決して、複数の引出しを一斉にロックし、解除できるとともに、幼児が簡単に開けることができず、また、地震等の際、引出しが飛び出すことを防止できる引出しロック機構付キャビネットを提供することを、その課題とする。
【課題を解決するための手段】
【０００４】
上記課題を解決するために、本発明においては、つぎのような技術的手段を講じている。すなわち、請求項１に記載の発明によれば、キャビネットに設けられた複数の引出しを一斉にロックするロック機構を備えたキャビネットであって、上記キャビネットの背板の内側には複数の係合部を突設した可動板が上下移動自在に設けられ、該可動板が上に位置したとき引出し後面板と上記係合部との係合が解除され、該可動板が下に位置したとき引出し後面板と上記係合部とが一斉に係合され、ロックされる引出しロック機構付キャビネットが提供される。
【０００５】
請求項２に記載の引出しロック機構付キャビネットは、請求項１に記載の発明に加えて、上記係合部の引出し後面板との係合、解除をキャビネットのカウンターに設けられた操作ボタンにより行うことが好ましい。さらに好ましくは、該操作ボタンがカウンターのバックガードに設けられる。
【０００６】
請求項３に記載の引出しロック機構付キャビネットは、請求項１に記載の発明に加えて、上記可動板の上下移動がカムにより行われることが好ましい。
【０００７】
請求項４に記載の引出しロック機構付キャビネットは、請求項１に記載の発明に加えて、上記キャビネットがキッチンキャビネットであることが好ましい。キャビネットとしては、キッチンキャビネット、洗面キャビネット、その他各種キャビネットをあげることができるが、とくにキッチンキャビネットに好適に用いられる。
【発明の効果】
【０００８】
請求項１に記載の発明にかかる引出しロック機構付キャビネットは上記のとおりであり、キャビネットの背板の内側には複数の係合部を突設した可動板が上下移動自在に設けられ、該可動板が上に位置したとき引出し後面板と上記係合部との係合が解除され、該可動板が下に位置したとき引出し後面板と上記係合部とが一斉に係合、ロックされるため、ワンタッチですべての引出しがロックされ、幼児がいたずら等で誤って指を挟む等の危険を防ぐことができるとともに、地震等で引出しが一斉に飛び出すことを防止できる。
【０００９】
請求項２に記載の引出しロック機構付キャビネットは上記のとおりであり、請求項１の引出しロック機構付キャビネットの有する効果に加え、上記係合部と引出し後面板との係合、解除をキャビネットのカウンター、とくにバックガードに操作ボタンを設けることにより、幼児には手が届きにくくなり、いたずらで操作ボタンに触れることを防ぐことができる。また、大人の使用者による通常の操作は、単に操作ボタンをワンタッチすることにより、引出しの一斉ロック、解除を容易に行うことができる。
【００１０】
請求項３に記載の引出しロック機構付キャビネットは上記のとおりであり、請求項１の引出しロック機構付キャビネットの有する効果に加え、上記可動板の上下移動をカムにより行うため、構造が簡単で、上記操作ボタンでカムを回転させることにより引出しの一斉ロック、解除を容易に行うことができる。
【００１１】
請求項４に記載の引出しロック機構付キャビネットは上記のとおりであり、請求項１の引出しロック機構付キャビネットの有する効果に加え、上記キャビネットをキッチンキャビネットとすることにより、幼児が出入りし易いキッチンにおいて、幼児の安全を守ることができる。
【発明を実施するための最良の形態】
【００１２】
以下、本発明の実施形態について図面を参照して詳細に説明する。図１は本発明にかかる引出しロック機構付キャビネットＡをキッチンキャビネットに適用した例を示す外観斜視図である。図１に示すように、引出しロック機構付キャビネットＡは引出し５を３段有するとともに、後記するロック機構によって３段の引出し５を一斉にロックすることが可能であり、ロックおよび解除はカウンター６のバックガード７に設けられた操作ボタン４により行われる。
【００１３】
図２は図１におけるＸ−Ｘ線に沿う断面図である。図２に示されるように、ロック機構Ｒは、引出し５の数と同じく３個のフック形の係合部１を突設した可動板２とこの可動板２の下部に当接して回転するカム３とこのカム３をコントローラＣを介して動作させる操作ボタン４とからなり、図２は係合部１と引出し５の後面板５１の係合を解除した状態を示す。図２に示すように、カム３は可動板２の載置部３１を備えている。
【００１４】
図３は上記係合部１を突設した可動板２とこの可動板２の下部に当接して回転するカム３の動作を説明する説明図である。図３において、可動板２は、図示しないキャビネットの背面板内側に固定されたスライドレール８に上下移動自在に保持されている。一方、操作ボタン４はコントローラＣを介してカム３の回転をコントロールする。このように構成することによって、中心からの距離が異なる周辺を有するカム３の回転により可動板２は上下し、係合部１は可動板２と共に上下する。
【００１５】
図３に示す位置においては、カム３の載置部３１が可動板２を押し上げ、図２に示すように上方に移動した係合部１と引出し５の後面板５１との係合は解除される。操作ボタン４を押し、さらにカム３を矢印の方向に回転させると可動板２は上記載置部３１から落下する。図４は、可動板２が上記載置部３１から落下し、下に移動した状態を示す説明図である。図４に示す状態においては、各係合部１は可動板２と共に下に移動し、各引出し５の後面板５１と係合し、一斉にロックする。図５は、上記のようにして、ロック機構Ｒによって一斉にロックされた引出しロック機構付キャビネットＡを示す側断面図である。
【００１６】
上記一斉ロックされた引出し５は、操作ボタン４を操作して図４に矢印で示す方向にカム３を回転させることにより、再び、図２に示す状態となり、一斉ロックを解除することができる。かくして、本発明にかかる引出しロック機構付キャビネットＡをキッチンキャビネットに適用することにより、いたずら等により幼児の指を引出しの間に挟んだり、地震の際等に引出しが一斉に飛び出すことを防ぐことができる。
【図面の簡単な説明】
【００１７】
【図１】本発明にかかる引出しロック機構付キャビネットを示す外観斜視図である。
【図２】図１におけるＸ−Ｘ線に沿う断面図である。
【図３】カムが可動板を押し上げ、可動板が上に移動した状態を示す説明図である。
【図４】カムが回転し、可動板が下に移動した状態を示す説明図である。
【図５】ロック機構によって一斉ロックされた引出しロック機構付キャビネットを示す側断面図である。
【符号の説明】
【００１８】
Ａ          本発明にかかる引出しロック機構付キャビネット
Ｃ          コントローラ
Ｒ          ロック機構
１          係合部
２          可動板
３          カム
３１        載置部
４          操作ボタン
５          引出し
５１        後面板
６          カウンター
７          バックガード
８          スライドレール
【図１】
2008023078.tif 000003
【図２】
2008023078.tif 000004
【図３】
2008023078.tif 000005
【図４】
2008023078.tif 000006
【図５】
2008023078.tif 000007